(57)【特許請求の範囲】
【請求項１】
内容が異なる複数の番組およびコマーシャル（以下、ＣＭと記す）と、該番組の属性を示す番組付属情報および該ＣＭの属性を示すＣＭ付属情報とが多重化されて伝送されるマルチチャンネル放送信号を受信し、チャンネルを選局して、画面表示させるためにマルチチャンネル放送を受信するマルチチャンネル放送受信方法において、前記ＣＭ付属情報が、視聴対象とする視聴者像に関する情報を含み、かつ、前記マルチチャンネル放送を受信して視聴する受信機側の視聴者像をあらかじめ用意された選択項目の中から選択して、ユーザ属性情報として該受信機にあらかじめ記録し、前記受信機に記録された前記ユーザ属性情報と受信されるマルチチャンネルの複数の前記ＣＭ付属情報に含まれる前記視聴者像に関する情報とを比較照合して、最も差異が少ない前記ＣＭ付属情報を検索して、検索されたＣＭ付属情報が示すチャンネルのＣＭ放送を自動的に選局して画面表示するマルチチャンネル放送受信方法であって、あらかじめ用意された前記選択項目に対して、現時点からあらかじめ定められた期間まで遡った登録期間内に受信された前記ＣＭ付属情報に含まれる視聴者像に関する情報を新たな選択項目として追加して登録し、前記登録期間内に前記ＣＭ付属情報として一度も受信されていない視聴者像に関する情報が示す前記選択項目を削除することを特徴とするマルチチャンネル放送受信方法。
【請求項２】
内容が異なる複数の番組およびコマーシャル（以下、ＣＭと記す）と、該番組の属性を示す番組付属情報および該ＣＭの属性を示すＣＭ付属情報とが多重化されて伝送されるマルチチャンネル放送信号を受信し、チャンネルを選局して、画面表示させるマルチチャンネル放送受信装置において、視聴対象とする視聴者像に関する情報を含む前記ＣＭ付属情報を逐次抽出して記録するＣＭ付属情報記録手段と、前記マルチチャンネル放送を受信して視聴する当該マルチチャンネル放送受信装置側の視聴者像をあらかじめ用意された選択項目の中から選択して、ユーザ属性情報として当該マルチチャンネル放送受信装置にあらかじめ記録するユーザ情報入力・記録手段と、記録された前記ユーザ属性情報と受信されるマルチチャンネルの複数の前記ＣＭ付属情報に含まれる前記視聴者像に関する情報とを比較照合して、最も差異が少ない前記ＣＭ付属情報を検索するＣＭ付属情報検索手段と、検索された前記ＣＭ付属情報が示すチャンネルのＣＭ放送を自動的に選局して画面表示するＣＭチャンネル制御手段とを有するマルチチャンネル放送受信装置であって、あらかじめ用意された前記選択項目に対して、現時点からあらかじめ定められた期間まで遡った登録期間内に受信された前記ＣＭ付属情報に含まれる視聴者像に関する情報を新たな選択項目として追加して登録する選択項目追加手段と、前記登録期間内に前記ＣＭ付属情報として一度も受信されていない視聴者像に関する情報が示す前記選択項目を削除する選択項目削除手段とを更に有していることを特徴とするマルチチャンネル放送受信装置。
【請求項３】
請求項２に記載のマルチチャンネル放送受信装置において、前記ＣＭ付属情報検索手段が、現在選局しているチャンネルを示す前記ＣＭ付属情報を優先させて、該ＣＭ付属情報に含まれる視聴者像に関する情報と最も近似する前記ユーザ属性情報を有する視聴者向けとして、該ＣＭ付属情報が示すチャンネルのＣＭ放送を選局したまま受信する放送者優先受信パターンと、現在当該マルチチャンネル放送受信装置に設定されている前記ユーザ属性情報を優先させて、該ユーザ属性情報と最も近似する前記ＣＭ付属情報に含まれる視聴者像に関する情報を検索して、検索された該ＣＭ付属情報が示すチャンネルのＣＭ放送を選局して受信する視聴者優先受信パターンと、前記放送者優先受信パターンと前記視聴者優先受信パターンとをランダムに切替えてＣＭ放送を選局して受信するランダム受信パターンとのうちのいずれかの受信パターンを選択する受信パターン選択手段を有していることを特徴とするマルチチャンネル放送受信装置。
【請求項４】
請求項２又は３に記載のマルチチャンネル放送受信装置において、前記ユーザ情報入力・記録手段が、複数の視聴者毎に独立したユーザ属性情報を前記選択項目から選択し、記録することができることを特徴とするマルチチャンネル放送受信装置。
【請求項５】
請求項４に記載のマルチチャンネル放送受信装置において、
モニタ画面上に現在表示中のＣＭ放送が、複数のユーザ属性情報のうち、いずれのユーザ属性情報に基づいて表示されているかを識別できるユーザ確認手段と、複数のユーザ属性情報のうち、選択されたユーザ属性情報に基づいたチャンネルのＣＭ放送に表示を切替えることができるユーザ切替え手段とを有することを特徴とするマルチチャンネル放送受信装置。
【発明の詳細な説明】
【０００１】
【発明の属する技術分野】
本発明は、マルチチャンネルにて伝送されるＣＭ放送に、広告主がＣＭを見せたい対象人物像（視聴者像）に関する情報を含むＣＭ付属情報を多重化し伝送される放送信号を受信し、予め受信機側で設定した視聴者の嗜好や特性に関するユーザ属性情報と前記ＣＭ付属情報とを照合比較し、最も差異が少ないＣＭ放送へ自動的に受信チャンネルを切替えて選局する、マルチチャンネル放送受信方法とマルチチャンネル放送受信装置とに関する。
【０００２】
【従来の技術】
近年、地上波，衛星放送，ＣＡＴＶ，インターネット等の放送媒体は、従来のアナログ放送方式からデジタル放送方式へと遷移し、デジタル放送が普及しつつある。
従来のアナログ方式のテレビジョン放送では、広告主と放送業者とがスポンサー契約をし、広告や宣伝を目的としたコマーシャル（以下、ＣＭと記す）と呼ばれる比較的短時間の放送を、番組の前後あるいは途中に挿入し、放映することにより、無料で視聴することができる無料放送が実現されている。このような従来の放送方法においては、視聴者にＣＭを半ば強制的に見せることが可能であり、広告主にとっては宣伝効果が見込めるというメリットを有している。しかしながら、視聴者にとっては、番組視聴中に全く興味のないＣＭ情報が挿入されて放映されることもあり、所望の視聴中の番組が中断されて、不快な感覚に陥ることも多々発生する恐れがある。
【０００３】
かかる問題を改善する手段として、特開平１１−１１２８９６号公報「放送信号受信装置および放送信号の受信方法」において開示されているＣＭ挿入技術が知られている。
該公報により開示されているＣＭ挿入技術は番組視聴中に不毛なＣＭ等の挿入による番組中断がなされないように、視聴者があらかじめ指定したタイミングと継続時間とにおいて所望のジャンルに属するＣＭを視聴することを実現させるものである。
【０００４】
【発明が解決しようとする課題】
しかしながら、前記の特開平１１−１１２８９６号公報で開示されたＣＭ挿入技術のごとく、視聴者があらかじめ指定したタイミングと継続時間とにおいて所望のジャンルに属するＣＭを視聴するＣＭ挿入技術では、番組制作者が意図するような視聴方法とは必ずしも言えず、逆に、番組自体の面白味を半減させる現象も生じる恐れがある。例えば、推理番組やクイズ番組のように視聴者が犯人像や問題の答えを想像していくような番組においては、番組途中のＣＭの挿入は中休みとなり、視聴者がリフレッシュを図ったり、或いは、視聴者が番組の今後の推移を想像・推測したりするのに効果的となる場合もある。しかしながら、番組の進行内容を知らない視聴者が、事前にＣＭ挿入のタイミングや継続時間などを設定することは、一般的に番組のメリハリを殺し、興味を半減させることに陥ることも十分考えうる。
【０００５】
また、前記のＣＭ挿入技術におけるＣＭの挿入タイミングとして、ＣＭ挿入により番組が中断することのないように、番組の最初あるいは最後に集中的にＣＭを挿入する場合、視聴者は、番組の最初あるいは最後において、義務的にＣＭを受信するのみとなり、集中的に放映されるＣＭの内容などには関心を示さなくなり、受信機から離れてしまう事態を招き、広告主の意図するような効果的な宣伝効果が望めなくなることも容易に想像できる。
【０００６】
本発明は、上述の事情に鑑みてなされたものであり、番組制作者が意図した番組の進行を阻害されることなく、かつ、放送番組に挟み込まれるＣＭ放送が広告主にとっては効率的な宣伝効果を発揮し、一方、視聴者にとっても有効な情報収集の手段が提供されることを目的とする。
【０００７】
【課題を解決するための手段】
本発明は、上述のごとき課題を解決するための技術を提供するものであり、放送者はあらかじめ設定されたＣＭ放送時間枠に放映するＣＭを１種類のＣＭに限定させずに、多種多様な内容を有する複数種類のＣＭをマルチチャンネルにて伝送し、一方、視聴者は自己の嗜好や趣味等を含むユーザ属性情報を受信機内にあらかじめ記録させておき、記録された前記嗜好や趣味等に応じて、広告主および視聴者の双方にとって最適なＣＭを放映するＣＭチャンネルに自動的に切替えて選局するマルチチャンネル放送受信方法とマルチチャンネル放送受信装置とを提供せんとするものである。
【０００８】
具体的には、本発明は以下の技術手段によって構成される。
第１の技術手段は、内容が異なる複数の番組およびコマーシャル（以下、ＣＭと記す）と、該番組の属性を示す番組付属情報および該ＣＭの属性を示すＣＭ付属情報とが多重化されて伝送されるマルチチャンネル放送信号を受信し、チャンネルを選局して、画面表示させるためにマルチチャンネル放送を受信するマルチチャンネル放送受信方法において、前記ＣＭ付属情報が、視聴対象とする視聴者像に関する情報を含み、かつ、前記マルチチャンネル放送を受信して視聴する受信機側の視聴者像をあらかじめ用意された選択項目の中から選択して、ユーザ属性情報として該受信機にあらかじめ記録し、前記受信機に記録された前記ユーザ属性情報と受信されるマルチチャンネルの複数の前記ＣＭ付属情報に含まれる前記視聴者像に関する情報とを比較照合して、最も差異が少ない前記ＣＭ付属情報を検索して、検索されたＣＭ付属情報が示すチャンネルのＣＭ放送を自動的に選局して画面表示するマルチチャンネル放送受信方法であって、あらかじめ用意された前記選択項目に対して、現時点からあらかじめ定められた期間まで遡った登録期間内に受信された前記ＣＭ付属情報に含まれる視聴者像に関する情報を新たな選択項目として追加して登録し、前記登録期間内に前記ＣＭ付属情報として一度も受信されていない視聴者像に関する情報が示す前記選択項目を削除することを特徴とするものである。
【０００９】
第２の技術手段は、内容が異なる複数の番組およびコマーシャル（以下、ＣＭと記す）と、該番組の属性を示す番組付属情報および該ＣＭの属性を示すＣＭ付属情報とが多重化されて伝送されるマルチチャンネル放送信号を受信し、チャンネルを選局して、画面表示させるマルチチャンネル放送受信装置において、視聴対象とする視聴者像に関する情報を含む前記ＣＭ付属情報を逐次抽出して記録するＣＭ付属情報記録手段と、前記マルチチャンネル放送を受信して視聴する当該マルチチャンネル放送受信装置側の視聴者像をあらかじめ用意された選択項目の中から選択して、ユーザ属性情報として当該マルチチャンネル放送受信装置にあらかじめ記録するユーザ情報入力・記録手段と、記録された前記ユーザ属性情報と受信されるマルチチャンネルの複数の前記ＣＭ付属情報に含まれる前記視聴者像に関する情報とを比較照合して、最も差異が少ない前記ＣＭ付属情報を検索するＣＭ付属情報検索手段と、検索された前記ＣＭ付属情報が示すチャンネルのＣＭ放送を自動的に選局して画面表示するＣＭチャンネル制御手段とを有するマルチチャンネル放送受信装置であって、あらかじめ用意された前記選択項目に対して、現時点からあらかじめ定められた期間まで遡った登録期間内に受信された前記ＣＭ付属情報に含まれる視聴者像に関する情報を新たな選択項目として追加して登録する選択項目追加手段と、前記登録期間内に前記ＣＭ付属情報として一度も受信されていない視聴者像に関する情報が示す前記選択項目を削除する選択項目削除手段とを更に有していることを特徴とするものである。
【００１２】
第３の技術手段は、第２の技術手段において、前記ＣＭ付属情報検索手段が、現在選局しているチャンネルを示す前記ＣＭ付属情報を優先させて、該ＣＭ付属情報に含まれる視聴者像に関する情報と最も近似する前記ユーザ属性情報を有する視聴者向けとして、該ＣＭ付属情報が示すチャンネルのＣＭ放送を選局したまま受信する放送者優先受信パターンと、現在当該マルチチャンネル放送受信装置に設定されている前記ユーザ属性情報を優先させて、該ユーザ属性情報と最も近似する前記ＣＭ付属情報に含まれる視聴者像に関する情報を検索して、検索された該ＣＭ付属情報が示すチャンネルのＣＭ放送を選局して受信する視聴者優先受信パターンと、前記放送者優先受信パターンと前記視聴者優先受信パターンとをランダムに切替えてＣＭ放送を選局して受信するランダム受信パターンとのうちのいずれかの受信パターンを選択する受信パターン選択手段を有していることを特徴とするものである。
【００１３】
第４の技術手段は、第２又は第３の技術手段において、前記ユーザ情報入力・記録手段が、複数の視聴者毎に独立したユーザ属性情報を前記選択項目から選択し、記録することができることを特徴とするものである。
【００１４】
第５の技術手段は、第４の技術手段において、モニタ画面上に現在表示中のＣＭ放送が、複数のユーザ属性情報のうち、いずれのユーザ属性情報に基づいて表示されているかを識別できるユーザ確認手段と、複数のユーザ属性情報のうち、選択されたユーザ属性情報に基づいたチャンネルのＣＭ放送に表示を切替えることができるユーザ切替え手段とを有することを特徴とするものである。
【００１５】
【発明の実施の形態】
本発明によるマルチチャンネル放送受信方法およびマルチチャンネル放送受信装置の実施形態の一例を図１乃至図３に基づいて以下に説明する。
【００１６】
図１は、本発明によるマルチチャンネル放送受信装置の一実施形態を示す概略構成図である。ここで、１は放送局から伝送されるマルチチャンネルデジタル放送信号を受信するアンテナ、２は任意の番組チャンネル信号を分離し、番組放送情報に復調するチューナ／復調部、３は映像・音声信号パケットとＣＭ付属情報パケットとに分離するデータ分離部、４は映像・音声信号パケットをデコードし、映像・音声信号に編集する映像・音声デコード部、５は映像・音声信号に対しＤ／Ａ変換および信号増幅等の処理をして表示モータ装置１１に出力する映像・音声出力部、６は前記ＣＭ付属情報を記録・保存するＣＭ付属情報記録部、７はユーザ所望の番組を選局する番組選局部、８は視聴者すなわちユーザが対話的に入力操作を行うユーザ情報入力部、９はユーザが入力したユーザ自身の属性に関する情報（すなわち、ユーザ属性情報）を記録・管理するユーザ情報記録・管理部、１０は受信装置全体を制御する制御ユニット、１０ａは前記ユーザ属性情報と最も差異が少ない前記ＣＭ付属情報を検索するＣＭ付属情報検索部、１０ｂは保存されている最新のＣＭ放送状況を参照して、視聴者が自らの嗜好、趣味等のプロフィール情報を選択入力する際の選択項目に反映させるための情報管理部、１０ｃはＣＭ放送と番組チャンネルとの切替え制御をするＣＭ制御・監視部、１１は表示モニタ装置である。
【００１７】
次に、図１のマルチチャンネル放送受信装置の全体的な動作について説明する。アンテナ１で受信されたマルチチャンネルデジタル放送信号は、チューナ／復調部２において任意に選局されている番組チャンネル信号が分離抽出されて、番組放送情報に復調される。復調された前記番組放送情報は、データ分離部３により映像・音声信号パケットとＣＭ付属情報パケットとに分離される。前記映像・音声信号パケットは、映像・音声デコード部４においてデコードされて、映像・音声信号に編集され、映像・音声出力部５へと送られる。映像・音声出力部５においては、表示モニタ装置１１に表示可能なフォーマットにするために、Ｄ／Ａ変換および信号増幅等の処理が行われる。一方、ＣＭ付属情報パケットはＣＭ付属情報記録部６へと送られ、ＣＭの属性に関する情報として記録・保存される。
【００１８】
また、ユーザ情報入力部８は、視聴者が番組を選局したり、自らのユーザ属性情報を入力するために対話的に入力操作を行うものであり、視聴者は表示モニタ装置１１の表示画面あるいはリモコン上の液晶表示画面に表示される選択項目の中から所望の項目を選択するために、本体操作部やリモコン等で操作を行うことができる。番組選局部７では、ユーザ情報入力部８に入力された指示に従い、視聴者（ユーザ）所望の番組チャンネルを選局する。ユーザ情報記録・管理部９では、視聴者すなわちユーザが表示モニタ装置１１の表示画面あるいはリモコン上の液晶表示画面を見ながらユーザ情報入力部８で選択入力した、ユーザ自らの性別，年齢，職業等の基本的情報と嗜好・趣味等のプロフィール情報とからなる視聴者像およびＣＭ放送の受信方法（受信パターン）等の各種のユーザ属性情報を記録・管理する。
【００１９】
また、受信装置全体の制御を司る制御ユニット１０内には、ＣＭ付加情報検索部１０ａ、情報管理部１０ｂおよびＣＭチャンネル制御・監視部１０ｃを有している。ＣＭ付加情報検索部１０ａはＣＭ付属情報記録部６に記録されたＣＭ付属情報とユーザ情報記録・管理部９内に記録されたユーザ属性情報とを比較し、最も差異が少ないＣＭ付属情報を検索する。ＣＭチャンネル制御・監視部１０ｃは、番組選局部７を制御・監視し、随時、ＣＭ付属情報検索部１０ａによって検索されたＣＭ付属情報が示すＣＭ放送を受信するように、ＣＭチャンネルすなわち番組チャンネルを自動的に切替えさせる。情報管理部１０ｂはユーザ属性情報の入力の際に用いる前記選択項目の更新手段を提供するものであり、本実施例においては、ＣＭ付属情報記録部６で記録されているＣＭ付属情報を読み出し、現時点からあらかじめ定められた期間まで遡った登録期間内に放送されている、あるいは、放送されていないＣＭ付属情報をチェックし、ユーザ情報記録・管理部９内にあるユーザの嗜好・趣味等を選択して設定させるためのジャンル別の前記選択項目を追加あるいは削除し、最新のＣＭ付属情報を前記選択項目に反映させる。
【００２０】
図２に、ユーザ情報入力部８の一例としてリモコンの概略図を示す。ここで、２００で示すキー類は番組を選局するための番組選局キーであり、２０１は表示モニタ装置１１の表示画面の表示を番組視聴画面からユーザ属性情報の入力画面に切替えるためのモード切替えキー、２０２はユーザが入力し設定した状態を手元で確認するための液晶表示画面であり、２０３および２０４は表示モニタ装置１１の表示画面または液晶表示画面２０２を見ながら、対話的に各設定項目を選択するためのコントロールキーおよび選択した設定項目を設定させるための決定キーである。また、２０５は放送中のＣＭ放送の受信パターンを設定しているユーザ名を確認するためのユーザ確認キーであり、２０６は現在のＣＭ放送の受信パターンを設定しているユーザから別のユーザに変更を行う場合に使用されるユーザ変更キーである。
【００２１】
また、図３は、ユーザ属性情報入力時に、表示モニタ装置１１のモニタ表示画面あるいはリモコン上の液晶表示画面２０２を参照しながら対話的に設定するためにモニタ表示される画面の一例を示したもので、図３（Ａ）は設定対象となるユーザを選択するためのユーザ選択画面、図３（Ｂ）はユーザの性別，年齢，職業などの基本的情報を設定するためのユーザ基本設定画面、図３（Ｃ）はユーザの嗜好や趣味等のプロフィール情報を選択するユーザプロフィール設定画面である。また、図３（Ｄ）はＣＭ放送の受信パターンの優先度を選択する設定画面であり、広告主が視聴対象と指定する視聴者像に合致するあるいは最も近似するＣＭ放送を受信するか、あるいは、視聴者の嗜好・趣味等のプロフィール情報に合致するあるいは最も近似するＣＭ放送を受信するかを決定するＣＭ受信パターン設定画面である。すなわち、ＣＭ放送の受信パターンを放送者優先の受信とするか、視聴者優先の受信とするかを選択するための設定画面である。
なお、図３に示す各表示項目は、前述のごとく、表示モニタ装置１１の表示画面上に表示されてもよいし、液晶表示画面付きのリモコンの場合、該液晶表示画面上に表示されてもよい。
【００２２】
次に、図３を用いて、ユーザ情報記録管理部９に、ユーザ属性情報を設定する動作について、ユーザ属性情報の選択項目が表示モニタ装置の表示画面に表示される場合を例にとって、説明する。
視聴者（ユーザ）がユーザ情報入力部８として図２に例示したリモコンを用いてモード切替えキー２０１を押した場合、ユーザ情報記録・管理部９が起動されて、表示モニタ装置１１の表示画面に図３（Ａ）に示すユーザ選択画面が表示される。ここで、複数の家族員で構成されている家庭においては、家族員各人毎に嗜好・趣味が異なると予想されるため、図３（Ａ）に示すように、各人毎のユーザ属性情報を設定させるために、ユーザ選択画面におけるユーザ登録数は複数のユーザ数分用意されている。したがって、各人毎にユーザ属性情報を選択させることにより、各個人の性別，年齢，職業などの基本的情報や嗜好・趣味などのプロフィール情報を忠実に反映させて、受信機にあらかじめ設定させることができる。
【００２３】
リモコン上のコントロールキー２０３，決定キー２０４を介して入力されたユーザの指示に従って、図３（Ａ）に示すユーザ選択画面において、設定を始めるユーザ名が選択される。以下の説明では、図３（Ａ）でユーザ（１）が選択されている場合を示す。決定ボタン３００が押されると、図３（Ａ）から図３（Ｂ）への太枠の矢印に示すごとく、ユーザ属性情報を設定させるために、まず、図３（Ｂ）に示すユーザ（１）に対するユーザ基本設定画面へと切替わる。一方、キャンセルボタン３０１が押された場合、ユーザ属性情報の設定動作は打ち切られて、表示モニタ装置１１の表示画面は通常の番組視聴画面に復帰し、ユーザ情報記録・管理部９のユーザ属性情報内のデータの更新は行われない。
【００２４】
図３（Ｂ）のユーザ（１）に対するユーザ基本設定画面へと切替わった場合、リモコン上のコントロールキー２０３、決定キー２０４を介して入力されたユーザの指示に従い、図３（Ｂ）乃至図３（Ｄ）の間に示す３方向の太枠の矢印で示すごとく、図３（Ｂ）乃至図３（Ｄ）の画面のいずれの設定画面にも切替えることができる。図３（Ｂ）のユーザ基本設定画面においては、リモコン上のコントロールキー２０３、決定キー２０４を介して該ユーザ基本設定画面に表示されている項目や数値を選択することによって、ユーザ（１）に関するユーザの基本的情報を設定することができる。本実施例においては、性別，年齢，地域，職業，結婚等の項目を記載しているが、これに限定されるものではなく、他の項目を基本的情報の設定項目としてもよく、また、必要があれば、更に別の設定画面を追加することとしてもよい。
【００２５】
また、図３（Ｃ）のユーザのプロフィール設定画面は、ユーザの嗜好や趣味などのプロフィール情報を選択する設定画面を構成しており、前述の図３（Ｂ）の場合と同様に、リモコン上のコントロールキー２０３、決定キー２０４を介してユーザ（１）であるユーザは任意のプロフィール情報を選択して設定することが可能である。まず、ユーザはジャンルボタン３０６を切替えることにより所望のジャンルを選択し、各ジャンル内の詳細な選択項目３０７を表示させることもできる。
【００２６】
ここで、選択項目３０７は常時同一の項目が表示されるものでなく、最近のＣＭ放送状況を反映して動的に選択項目の追加・削除が行われている。すなわち、前述したように、情報管理部１０ｂにより、最近放送されている、あるいは、放送されていないＣＭ付属情報がチェックされて、ユーザ情報記録・管理部９内にあるジャンル毎の前記選択項目に反映されて、前記選択項目３０７は更新されて記録されており、選択項目３０７を表示させた場合には、最新のＣＭ付属情報が反映されて表示される。表示された選択項目３０７からユーザはリモコン上のコントロールキー２０３、決定キー２０４を介して、任意に所望の詳細な選択項目を選択することが可能である。また、１個以上の複数の選択項目を選択することもできる。また、現在表示されているジャンル画面上に好みの選択項目３０７が表示されていない場合は、次頁ボタン３０２、あるいは、前頁ボタン３０３を操作し、別の選択項目３０７を表示することも可能である。
【００２７】
図３（Ｄ）は、ＣＭ放送の受信方式（受信パターン）の優先度を選択するためのＣＭ受信パターン設定画面である。ユーザはリモコン上のコントロールキー２０３、決定キー２０４を介して、図３（Ｄ）のＣＭ受信パターン設定画面上に表示されている放送優先３０８、ユーザ設定優先３０９あるいはランダム３１０の３つの項目のうちのいずれか一つの項目を選択する。放送優先３０８の項目を選択した場合は、広告主がＣＭ放送の視聴対象と指定している視聴者に関する人物像（視聴者像）データがＣＭ付属情報に含まれているので、ユーザが設定したユーザ属性情報が参照されて、前記人物像（視聴者像）データにより近いＣＭ放送が選択されて視聴者に提供される受信パターン（すなわち、ＣＭ付属情報を優先した放送者優先受信パターン）となる。一方、ユーザ設定優先３０９の項目を選択した場合は、ユーザが設定したユーザ属性情報の嗜好、趣味等のプロフィール情報に基づいて、ＣＭ付属情報が参照され、検索されて、視聴者が所望する嗜好、趣味等に準じたＣＭ放送が選択されて視聴者に提供される受信パターン（すなわち、ユーザ属性情報を優先した視聴者優先受信パターン）となる。また、ランダム３１０の項目を選択した場合は、上述の２つの受信パターンが平均して交互に現れるようにランダムに切替えてＣＭ放送が受信表示される受信パターン（すなわち、ランダム受信パターン）となる。
【００２８】
したがって、図３（Ｄ）に示すＣＭ受信パターン設定画面を用いて、ＣＭ放送の受信パターンの優先度を変更させることにより、ユーザ属性情報を優先した視聴者優先受信パターンを選択した場合には、ユーザがＣＭ放送から自己の嗜好、趣味等に合致した情報を探し、引き出すことが可能となり、また、ＣＭ付属情報を優先した放送者優先受信パターンを選択した場合には、広告主が視聴させたいと考えている視聴者に対して、ＣＭ情報を提供することが可能となる。すなわち、視聴者、広告主の双方にとって有益な情報伝達を実現する手段が提供されることになる。
【００２９】
なお、図３（Ｂ）乃至図３（Ｄ）のいずれかの設定画面において、ユーザが各種のユーザ属性情報を設定した後、コントロールキー２０３、決定キー２０４を介して実行ボタン３０４を押した場合、ユーザ情報記録・監視部９内に記録保存されているユーザ属性情報が更新され、表示モニタ装置１１の表示画面が通常の番組視聴画面に復帰する。以降は、更新された前記ユーザ属性情報に基づいたＣＭ放送の受信が可能となる。
一方、図３（Ｂ）乃至図３（Ｄ）のいずれかの設定画面において、実行ボタン３０４ではなく、キャンセルボタン３０１を押した場合、ユーザ情報記録・監視部９内のユーザ属性情報は更新されず、表示モニタ装置１１の表示画面は通常の番組視聴画面に復帰してしまい、ユーザ情報記録・監視部９内に既に設定されているユーザ属性情報に基づいたＣＭ放送の受信表示が継続される。
【００３０】
また、図３（Ｂ）乃至図３（Ｄ）のいずれかの設定画面において、ユーザ変更ボタン３０５を押した場合、図３（Ａ）に示すユーザ選択画面で選択したユーザに関するユーザ属性情報の設定動作を途中で打ち切り（中断し）、再度、図３（Ａ）のユーザ選択画面に戻り、他のユーザに関するユーザ属性情報の設定動作に切替えることが可能である。
【００３１】
また、番組視聴画面を表示している状態で、前記ユーザ属性情報に応じたＣＭ放送を受信し、表示モニタ装置１１の画面に表示させている場合において、前記ＣＭ受信パターン（すなわち、ＣＭ放送の受信方式）が、図３（Ａ）に示すユーザ選択画面のどのユーザに基づいたＣＭ受信パターンになっているのか判断できないと不便である。図２に示すリモコンには、ユーザ確認キー２０５が備わっており、ユーザ確認キー２０５を押すと、表示モニタ装置１１の表示画面に現在表示されているＣＭ放送の受信パターンを選択しているユーザ名が表示される。或いは、ユーザ情報入力部８が、図２に示すごとき液晶表示画面付きリモコンの場合、液晶表示画面２０２に該ユーザ名が表示される。また、ユーザ切替えキー２０６を押すことにより、前述のユーザ変更ボタン３０５を押した場合と同様に、表示モニタ装置１１の表示画面やリモコン上の液晶表示画面を見ながら現在のユーザから任意の他のユーザへと切替えることが可能である。
【００３２】
【発明の効果】
マルチチャンネル放送方式により、多種多様のＣＭ番組を同時に受信することが可能となるので、番組制作者の意図したタイミングで視聴者あるいは広告主が望むＣＭ放送を提供することができる。
【００３３】
広告主が宣伝したい対象の視聴者像を有するＣＭ付属情報と視聴者自らの性別、年齢、職業などの基本的情報やユーザの嗜好・趣味等のプロフィール情報を反映させたユーザ属性情報との双方の情報とを有し、双方の情報を比較照合して最も差異の少ないＣＭ放送を表示させることにより、広告主にとっても、視聴者にとっても、有益なＣＭ放送を実現できる。また、ＣＭ付属情報を優先させて、広告主が意図するＣＭ放送を優先させて受信させる放送者優先受信パターン、ユーザ付属情報を優先させて、視聴者が望むＣＭ放送を優先させて受信させる視聴者優先受信パターン、および、かかる２つの受信パターンをランダムに交互に切替えさせて、平均して受信させるランダム受信パターンのいずれの受信パターンでも任意に選択することができる。
【００３４】
すなわち、視聴者が設定したユーザ属性情報を参照し、ＣＭ付属情報内にある広告主が対象とする視聴者像により近いＣＭ放送を視聴者に提供する受信方式、視聴者が設定したユーザ属性情報に基づき、視聴者の嗜好や特性に準じて視聴者が望んでいる内容により近いＣＭ放送を受信する方式、或いは、広告主と視聴者の両者の意向が平均して交互に反映するような受信方式を実現することが可能となる。したがって、広告主が狙った対象ユーザに情報を適切に提供することができ、かつ、ユーザが所望するＣＭ放送から必要な情報を探し、引き出すことも実現可能となり、広告主、視聴者の双方にとってＣＭ放送のメリットや付加価値を認識することができ、双方にとって有益な情報伝達手段を提供することができる。
【００３５】
また、あらかじめ定められた登録期間内の最近のＣＭ付属情報に基づいて、プロフィール情報の選択項目が更新されることにより、視聴者がユーザ属性情報を受信機に登録する際に、最新のＣＭ放送状況を反映させたプロフィール情報を設定することができるので、最も適切なユーザ属性情報を登録することができる。
【００３６】
また、複数の視聴者が同一の受信機でＣＭ放送等を視聴する際にも、各人毎の嗜好、趣味に合致したＣＭ放送を受信表示させることができる。
【図面の簡単な説明】
【図１】本発明によるマルチチャンネル放送受信装置の一実施形態を示す概略構成図である。
【図２】ユーザ情報入力手段の一例として示したリモコンの概略図である。
【図３】ユーザ属性情報入力時に、表示モニタ装置の表示画面あるいはリモコン上の液晶表示画面を参照しながら対話的に設定するためにモニタ表示される画面の一例を示す図である。
【符号の説明】
１…アンテナ、２…チューナ／復調部、３…データ分離部、４…映像・音声デコード部、５…映像・音声出力部、６…ＣＭ付属情報記録部、７…番組選局部、８…ユーザ情報入力部、９…ユーザ情報記録・管理部、１０…制御ユニット、１０ａ…ＣＭ付属情報検索部、１０ｂ…情報管理部、１０ｃ…ＣＭチャンネル制御・監視部、１１…表示モニタ装置、２００…番組選局キー、２０１…モード切替えキー、２０２…液晶表示画面、２０３…コントロールキー、２０４…決定キー、２０５…ユーザ確認キー、２０６…ユーザ変更キー、３００…決定ボタン、３０１…キャンセルボタン、３０２…次頁ボタン、３０３…前頁ボタン、３０４…実行ボタン、３０５…ユーザ変更ボタン、３０６…ジャンルボタン、３０７…選択項目、３０８…放送優先、３０９…ユーザ設定優先、３１０…ランダム。
【図１】
0003578710.tif 000002
【図２】
0003578710.tif 000003
【図３】
0003578710.tif 000004